(57)【要約】      （修正有）【課題】沈香が嵌め込まれた圧密木を提供する。【解決手段】圧密木層１０と、圧密木層１０に接続され、かつ圧密化木材１及び圧密化木材１に嵌め込まれた複数の沈香２を備える沈香圧密層と、を含む、沈香が嵌め込まれた圧密木であって、圧密木層１０は沈香木圧密木層であり、沈香２は圧密化木材１の外表面に嵌め込まれている。【選択図】図１
0003233918.tif 000002
【実用新案登録請求の範囲】
【請求項１】
圧密木層（１０）と、前記圧密木層（１０）に接続され、かつ圧密化木材（１）及び前記圧密化木材（１）に嵌め込まれた複数の沈香（２）を備える沈香圧密層と、を含むことを特徴とする、沈香が嵌め込まれた高周波による圧密木。
【請求項２】
前記圧密木層（１０）は沈香木圧密木層であることを特徴とする、請求項１に記載の沈香が嵌め込まれた高周波による圧密木。
【請求項３】
前記沈香（２）は前記圧密化木材（１）の外表面に嵌め込まれていることを特徴とする、請求項１に記載の沈香が嵌め込まれた高周波による圧密木。
【請求項４】
前記沈香（２）は前記圧密化木材（１）の内部に埋め込まれていることを特徴とする、請求項１に記載の沈香が嵌め込まれた高周波による圧密木。
【請求項５】
前記沈香（２）と前記圧密化木材（１）との間には樹脂層が設けられていることを特徴とする、請求項３に記載の沈香が嵌め込まれた高周波による圧密木。
【請求項６】
前記樹脂層は柔軟性接着剤層（４）であり、前記沈香（２）と前記圧密化木材（１）との間の密度差は０．３５〜０．５ｇ／ｃｍ３であることを特徴とする、請求項５に記載の沈香が嵌め込まれた高周波による圧密木。
【請求項７】
前記樹脂層は剛性樹脂層（３）であり、前記沈香（２）と前記圧密化木材（１）との間の密度差は０．１〜０．３ｇ／ｃｍ３であることを特徴とする、請求項５に記載の沈香が嵌め込まれた高周波による圧密木。
【請求項８】
前記沈香（２）の外表面には保護フィルム（６）が設けられていることを特徴とする、請求項３に記載の沈香が嵌め込まれた高周波による圧密木。
【請求項９】
前記保護フィルム（６）は剛性樹脂層（３）、柔軟性接着剤層（４）、プラスチックフィルムのうちの１つであることを特徴とする、請求項８に記載の沈香が嵌め込まれた高周波による圧密木。
【請求項１０】
前記柔軟性接着剤層（４）はＰＵホットメルト接着剤であることを特徴とする、請求項６又は８に記載の沈香が嵌め込まれた高周波による圧密木。
【考案の詳細な説明】
【技術分野】
【０００１】
本考案は木材積層の技術分野に属し、特に沈香が嵌め込まれた高周波による圧密木に関する。
【背景技術】
【０００２】
沈香木はジンチョウゲ科ジンコウ属の喬木で、高さが５〜１５メートルで、濃い灰色でほぼ滑らかな樹皮と丈夫な繊維を持ち、小枝は円柱形である。中国広東省、海南省、広西省、福建省などの地域を原産地とし、低標高山地、丘、及び日向の森に生息することを好む。沈香木の古い茎に傷がついた後に分泌、蓄積した樹脂は沈香と呼ばれ、香料の原料として使用することができる。沈香は価格が高く、従来の板材には沈香与と木材とを組み合わせたものがない。
【考案の概要】
【考案が解決しようとする課題】
【０００３】
本考案は沈香が嵌め込まれた高周波による圧密木を提供する。
【課題を解決するための手段】
【０００４】
本考案の具体的な技術的解決手段は次のとおりである。
【０００５】
本考案は沈香が嵌め込まれた高周波による圧密木を提供する。この沈香が嵌め込まれた高周波による圧密木は圧密木層と、圧密木層に接続され、かつ圧密化木材及び圧密化木材に嵌め込まれた複数の沈香を備える沈香圧密層とを含む。
【０００６】
本考案に使用される沈香及び沈香木は、「ＬＹ／Ｔ  ２９０４−２０１７  沈香」の要件を満たす限り、人工栽培、又は野生のものを使用することができる。すなわち、沈香はジンコウ属の樹種が成長中に形成した、木部組織とその分泌物によって構成された天然混合物質であり、沈香木はジンコウ属の樹種の木部組織である。
【０００７】
さらに、圧密木層は沈香木圧密木層である。
【０００８】
そこで、沈香木圧密木層は従来の圧密技術で製造されたものである。例えば、まず市販の高周波ヒートシール装置で沈香木を加熱し、さらに事前に設定された圧縮率、例えば７０％に加圧し、硬化し、最後に冷却すれば、沈香木圧密木層が得られる。
【０００９】
さらに、沈香は圧密化木材の外表面に嵌め込まれている。
【００１０】
圧密化木材とは、市販の高周波ヒートシール装置で圧縮した後に一定の圧縮率を持つ板材を指す。圧縮率は必要に応じて、例えば５０％〜９０％に調整することができる。
【００１１】
さらに、沈香は圧密化木材の内部に埋め込まれている。
【００１２】
さらに、沈香と圧密化木材との間には樹脂層が設けられている。
【００１３】
さらに、樹脂層は柔軟性接着剤層であり、沈香と圧密化木材との間の密度差は０．３５〜０．５ｇ／ｃｍ３である。
【００１４】
さらに、樹脂層は剛性樹脂層であり、沈香と圧密化木材との間の密度差は０．１〜０．３ｇ／ｃｍ３である。
【００１５】
さらに、沈香の外表面には保護フィルムが設けられている。
【００１６】
さらに、保護フィルムは柔軟性接着剤層、剛性樹脂層、プラスチックフィルムのうちの１つである。
【００１７】
さらに、柔軟性接着剤層はＰＵホットメルト接着剤である。
【考案の効果】
【００１８】
本考案は沈香が嵌め込まれた高周波による圧密木を提供し、該圧密木には沈香が嵌め込まれている。
【図面の簡単な説明】
【００１９】
【図１】例における沈香が嵌め込まれた高周波による圧密木の断面図である。
【図２】例における沈香が嵌め込まれた高周波による圧密木の断面図である。
【図３】例における沈香が嵌め込まれた高周波による圧密木の断面図である。
【図４】例における沈香が嵌め込まれた高周波による圧密木の断面図である。
【図５】例における沈香が嵌め込まれた高周波による圧密木の断面図である。
【図６】例における沈香が嵌め込まれた高周波による圧密木の断面図である。
【考案を実施するための形態】
【００２０】
以下、図面と以下の実施例に基づいて本考案をさらに詳細に説明する。
【００２１】
本実施例は沈香が嵌め込まれた高周波による圧密木を提供する。この沈香が嵌め込まれた高周波による圧密木は圧密木層１０と、圧密木層１０に接続され、かつ圧密化木材１及び圧密化木材１に嵌め込まれた複数の沈香２を備える沈香圧密層とを含む。圧密木層１０は沈香木圧密木層であり、他の木材を圧密した後に得られた圧密木層であってもよい。沈香の数は１つ、又は複数であってもよい。
【００２２】
いくつかの実施例において、図１に示される、沈香が嵌め込まれた高周波による圧密木の断面図のように、沈香２は圧密化木材１に嵌め込まれている。圧密木層と沈香圧密層は、接着などで固定的に接続してもよい。例えば、製造するとき、圧密木層と沈香圧密層との間に木材用の接着剤を塗布して両者を貼り合わせればよい。ここの沈香は、まず圧密化木材に嵌め込んでから圧密木層に接着し、又は、まず圧密木層と圧密化木材を接着してから沈香を圧密化木材に嵌め込んでもよい。また、圧密木層と沈香圧密層は、一体成形で接続してもよい。例えば、特許番号ＣＮ１０１６６４９４９Ｂに開示された方法のステップ（５）を参照して木材に対して表面圧密化を行ってもよい。得られた表面圧密化層はすなわち圧密木層であり、表面圧密化が行われていない層はすなわち沈香圧密層である。
【００２３】
いくつかの実施例において、図２に示される、沈香が嵌め込まれた高周波による圧密木の断面図のように、沈香２は圧密化木材１の内部に埋め込まれている。製造するとき、沈香を含有する天然沈香木を高周波ヒートシール装置でプレス成形する。
【００２４】
いくつかの実施例において、図３に示される、沈香が嵌め込まれた高周波による圧密木の断面図のように、沈香２と圧密化木材１との間には剛性樹脂層３が設けられている。該剛性樹脂層はＰＶＢ樹脂層である。該実施例において、沈香と圧密化木材との間の密度差が小さく（例えば０．２ｇ／ｃｍ３）、さらに、沈香は圧密前に切断処理が行われているため、該実施例は樹脂層を設けることで、沈香と圧密化木材との間の接続強度を著しく高めることができる。図６に示されるように、他のいくつかの実施例において、製造するときにまずＰＶＢ樹脂フィルムを溶かして沈香の表面に塗布し、次に液体ＰＶＢ樹脂フィルムを塗布した沈香を板材上に置いて圧密化してもよい。得られた圧密木、沈香、及び圧密化木材の間にはＰＶＢ樹脂層３があり、沈香の外面にもＰＶＢ樹脂層３があるため、使用しないとき、沈香は外面のＰＶＢ樹脂層によって密封され、油脂の拡散が回避され、使用するとき、沈香の外面にあるＰＶＢ樹脂フィルムを擦り落とせばよい。
【００２５】
いくつかの実施例において、図４に示される、沈香が嵌め込まれた高周波による圧密木の断面図のように、沈香２と圧密化木材１との間には柔軟性接着剤層４が設けられている。該柔軟性接着剤はＰＵホットメルト接着剤であり、さらに、沈香は圧密前に切断処理が行われている。沈香と圧密化木材は密度差が大きいため（例えば０．４ｇ／ｃｍ３）、圧密木が湿ったとき、膨張の程度が異なる。ＰＵホットメルト接着剤を設けることで、圧密木が湿ったとき、沈香と圧密化木材の異なる膨張程度がもたらす両者の分離を回避し、緩衝の役割を果たすことができる。他のいくつかの実施例において、製造するときにまずＰＵホットメルト接着剤を沈香の表面に塗布し、次にＰＵホットメルト接着剤を塗布した沈香を板材上に置いて圧密化してもよい。得られた圧密木、沈香、及び圧密化木材の間にはＰＵホットメルト接着剤があり、沈香の外面にもＰＵホットメルト接着剤があるため、使用しないとき、沈香は外面のＰＵホットメルト接着剤によって密封され、油脂の拡散が回避され、使用するとき、沈香の外面にあるＰＵホットメルト接着剤を擦り落とせばよい。
【００２６】
いくつかの実施例において、図５に示される、沈香が嵌め込まれた高周波による圧密木の断面図のように、沈香２の外表面には保護フィルム６が設けられている。保護フィルム６は樹脂フィルム、柔軟性接着剤、又はプラスチックフィルムである。該実施例における沈香は圧密前、切断処理が行われている。製造するときに、ＰＶＢ樹脂フィルムを溶かして沈香の表面に塗布し、又はＰＵホットメルト接着剤を沈香の表面に塗布し、又はプラスチックフィルムは粘着テープで沈香の外面に貼り付けることができる。保護フィルムを設けることで、沈香を密封し、匂いの発散や油脂の拡散を回避することができ、使用するとき、保護フィルムを除去すればよい。柔軟性接着剤又は樹脂層は擦り落とすことができ、プラスチックフィルムは直接外すことができる。
【００２７】
以上のことは、本考案の好適な実施例に過ぎず、本考案の保護範囲を限定するものではない。本考案の登録請求の範囲及び明細書の内容に基づいてなされた等価変形又は修飾は、いずれも本考案の範囲内に含まれる。
【図１】
0003233918.tif 000003
【図２】
0003233918.tif 000004
【図３】
0003233918.tif 000005
【図４】
0003233918.tif 000006
【図５】
0003233918.tif 000007
【図６】
0003233918.tif 000008
【手続補正書】
【提出日】令和3年6月28日(2021.6.28)
【手続補正１】
【補正対象書類名】実用新案登録請求の範囲
【補正対象項目名】全文
【補正方法】変更
【補正の内容】
【実用新案登録請求の範囲】
【請求項１】
圧密木層（１０）と、前記圧密木層（１０）に接続され、かつ圧密化木材（１）及び前記圧密化木材（１）に嵌め込まれた複数の沈香（２）を備える沈香圧密層と、を含むことを特徴とする、沈香が嵌め込まれた圧密木。
【請求項２】
前記圧密木層（１０）は沈香木圧密木層であることを特徴とする、請求項１に記載の沈香が嵌め込まれた圧密木。
【請求項３】
前記沈香（２）は前記圧密化木材（１）の外表面に嵌め込まれていることを特徴とする、請求項１に記載の沈香が嵌め込まれた圧密木。
【請求項４】
前記沈香（２）は前記圧密化木材（１）の内部に埋め込まれていることを特徴とする、請求項１に記載の沈香が嵌め込まれた圧密木。
【請求項５】
前記沈香（２）と前記圧密化木材（１）との間には樹脂層が設けられていることを特徴とする、請求項３に記載の沈香が嵌め込まれた圧密木。
【請求項６】
前記樹脂層は柔軟性接着剤層（４）であり、前記沈香（２）と前記圧密化木材（１）との間の密度差は０．３５〜０．５ｇ／ｃｍ３であることを特徴とする、請求項５に記載の沈香が嵌め込まれた圧密木。
【請求項７】
前記樹脂層は剛性樹脂層（３）であり、前記沈香（２）と前記圧密化木材（１）との間の密度差は０．１〜０．３ｇ／ｃｍ３であることを特徴とする、請求項５に記載の沈香が嵌め込まれた圧密木。
【請求項８】
前記沈香（２）の外表面には保護フィルム（６）が設けられていることを特徴とする、請求項３に記載の沈香が嵌め込まれた圧密木。
【請求項９】
前記保護フィルム（６）は剛性樹脂層（３）、柔軟性接着剤層（４）、プラスチックフィルムのうちの１つであることを特徴とする、請求項８に記載の沈香が嵌め込まれた圧密木。
【請求項１０】
前記柔軟性接着剤層（４）はＰＵホットメルト接着剤であることを特徴とする、請求項６又は８に記載の沈香が嵌め込まれた圧密木。